(57)【要約】【課題】  製造コストを低減させることができると共に、回転精度を向上させることができるロータと、このロータを備えた回転清掃体、掃除機用床吸込具、フィルター清掃機構及び空気調和機を提供する。【解決手段】  ロータ１は、挿入溝１ａと、一対の支持体１ｃ、１ｃとを有し、ロータ１の長手方向に垂直な断面において、一対の支持体１ｃ、１ｃの支持部１ｂ、１ｂを結ぶ線Ｘ２に垂直であると共に、挿入溝１ａの最大幅となる線Ｘ１の中央を通る中央線Ｘ３を引き、この中央線Ｘ３と挿入溝１ａを形成する線との交点を点Ａとした時、点Ａから、矢印で示すロータ１の螺旋の捩り方向と反対側に位置する一方の支持体１ｃを含む外周線の展開長が、点Ａから、他方の支持体１ｃを含む外周線の展開長よりも小となるようにしている。【選択図】図６
2018102445.tif 000002
【特許請求の範囲】
【請求項１】
機器に回転自在に取着されるロータにおいて、該ロータは、
外周部に螺旋状に形成され、清掃体の基部が挿入される挿入溝と、
前記挿入溝の開口両端部を覆うように形成され、前記清掃体の基部を支持部と当接させて支持する一対の支持体と、を有し、
ロータの長手方向に垂直な断面において、前記一対の支持体の前記支持部を結ぶ線に垂直であると共に、前記挿入溝の最大幅となる線の中央を通る中央線を引き、前記中央線と前記挿入溝を形成する線との交点を点Ａとした時、
点Ａから、ロータの螺旋の捩り方向と反対側に位置する一方の支持体を含む外周線の展開長が、
点Ａから、他方の支持体を含む外周線の展開長よりも小であることを特徴とするロータ。
【請求項２】
回転外径が９ｍｍ未満であると共に、挿入溝が３条以下であることを特徴とする請求項１に記載のロータ。
【請求項３】
螺旋の捩り方向と反対側に位置する一方の支持体の外周線の展開長が、他方の支持体の外周線の展開長よりも小であることを特徴とする請求項１又は２に記載のロータ。
【請求項４】
請求項１〜３のいずれか１項に記載のロータと、清掃体と、前記ロータの両端に取り付けられるブラケットとを備えたことを特徴とする回転清掃体。
【請求項５】
請求項４に記載の回転清掃体を有することを特徴とする掃除機用床吸込具。
【請求項６】
回転清掃体は、ロータの一対の支持体のうち、外周線の展開長が小である一方の支持体側から他方の支持体側に向けて回転することを特徴とする請求項５に記載の掃除機用床吸込具。
【請求項７】
電動送風機と、請求項４に記載の回転清掃体又は、請求項５又は６に記載の掃除機用床吸込具のいずれかを備えていることを特徴とする電気掃除機。
【請求項８】
吸気口と排気口とを結ぶ空気通路に配置された塵埃捕集用のフィルター体と、該フィルター体に付着した塵埃を除去する請求項４に記載の回転清掃体とを備えたことを特徴とするフィルター清掃機構。
【請求項９】
回転清掃体は、ロータの一対の支持体のうち、外周線の展開長が小である一方の支持体側から他方の支持体側に向けて回転することを特徴とする請求項８に記載のフィルター清掃機構。
【請求項１０】
請求項８又は９に記載のフィルター清掃機構を有することを特徴とする空気調和機。
【発明の詳細な説明】
【技術分野】
【０００１】
本発明は、機器に回転自在に取着されるロータと、該ロータを備えた回転清掃体、掃除機用床吸込具、フィルター清掃機構及び空気調和機に関するものである。
【背景技術】
【０００２】
従来から、回転清掃体の軸部として、清掃体の基部が挿入される溝部が螺旋状に形成されたロータが知られている（特許文献１）。
【０００３】
特許文献１に記載のロータは、ロータ製造装置の口金からアルミニウム材を捩りながら押し出して、外周面に螺旋状に溝部が形成されたロータとした後、このロータを捩り装置に設置して、さらに捩り加工を施すことによって捩り精度を確保しているものであった。
【先行技術文献】
【特許文献】
【０００４】
【特許文献１】実用新案登録第３０９３７７９号公報
【発明の概要】
【発明が解決しようとする課題】
【０００５】
前述のように、上記特許文献１に記載のロータは、２段階の製造工程を経て捩り加工を行っているため、製造コストが嵩み、生産性も劣るという課題を有していた。
【０００６】
本発明は、前記従来の課題を解決するものであり、製造コストを低減させることができると共に、回転精度を向上させることができるロータと、このロータを備えた回転清掃体、掃除機用床吸込具、フィルター清掃機構及び空気調和機を提供することを目的とする。
【課題を解決するための手段】
【０００７】
前記従来の課題を解決するために、請求項１のロータの発明は、機器に回転自在に取着されるロータにおいて、該ロータは、外周部に螺旋状に形成され、清掃体の基部が挿入される挿入溝と、前記挿入溝の開口両端部を覆うように形成され、前記清掃体の基部を支持部と当接させて支持する一対の支持体と、を有し、ロータの長手方向に垂直な断面において、前記一対の支持体の前記支持部を結ぶ線に垂直であると共に、前記挿入溝の最大幅となる線の中央を通る中央線を引き、前記中央線と前記挿入溝を形成する線との交点を点Ａとした時、点Ａから、ロータの螺旋の捩り方向と反対側に位置する一方の支持体を含む外周線の展開長が、点Ａから、他方の支持体を含む外周線の展開長よりも小であることを特徴としている。
【０００８】
請求項１の発明では、ロータの螺旋の捩り方向と反対側に位置する一方の支持体を含む外周線の展開長を短くすることで、ロータ成型時にロータと金型が強く当たる部分の摩擦抵抗が低減されるので、より均等に金型からロータを押し出すことができ、製造コストを低減させることができると共に、回転精度を向上させることができる。
【０００９】
請求項２のロータの発明は、請求項１の発明において、回転外径が９ｍｍ未満であると共に、挿入溝が３条以下であることを特徴としている。これにより、軽量且つコンパクトとなり、動バランスが良くなることから、振動や騒音を少なくすることができる。
【００１０】
請求項３のロータの発明は、請求項１又は２の発明において、螺旋の捩り方向と反対側に位置する一方の支持体の外周線の展開長が、他方の支持体の外周線の展開長よりも小であることを特徴としている。支持体は挿入溝より回転中心から離れているため、支持体を小さくすることにより更に動バランスが良くなることから、振動や騒音を更に少なくすることができる。
【００１１】
請求項４の回転清掃体の発明は、請求項１〜３のいずれかのロータと、清掃体と、前記ロータの両端に取り付けられるブラケットとを備えたことを特徴としている。したがって、ロータの回転精度が向上することによって、回転清掃体の回転精度も向上させることができる。
【００１２】
請求項５の掃除機用床吸込具の発明は、請求項４に記載の回転清掃体を有することを特徴としている。したがって、製造コストを高くすることなく、軽量で振動や異音の発生を抑えた掃除機用床吸込具を提供することができる。
【００１３】
請求項６の掃除機用床吸込具の発明は、請求項５の掃除機用床吸込具において、回転清掃体は、ロータの一対の支持体のうち、外周線の展開長が小である一方の支持体側から他方の支持体側に向けて回転することを特徴としている。したがって、外周線の展開長が小である支持体に掛かる負荷が軽減されるため、支持体が短くても清掃体が抜けにくくなるので、支持体をより短くすることができ、更に軽量な掃除機用床吸込具を提供することができる。
【００１４】
請求項７の電気掃除機の発明は、電動送風機と、請求項４に記載の回転清掃体又は、請求項５又は６に記載の掃除機用床吸込具のいずれかを備えていることを特徴としている。したがって、製造コストを高くすることなく、軽量で振動や異音の発生を抑えた電気掃除機を提供することができる。
【００１５】
請求項８のフィルター清掃機構の発明は、吸気口と排気口とを結ぶ空気通路に配置された塵埃捕集用のフィルター体と、該フィルター体に付着した塵埃を除去する請求項４に記載の回転清掃体とを備えたことを特徴としている。したがって、製造コストを高くすることなく、軽量で振動や異音の発生を抑えたフィルター清掃機構を提供することができる。
【００１６】
請求項９のフィルター清掃機構の発明は、請求項８のフィルターの清掃機構において、回転清掃体は、ロータの一対の支持体のうち、外周線の展開長が小である一方の支持体側から他方の支持体側に向けて回転することを特徴としている。したがって、外周線の展開長が小である支持体に掛かる負荷が軽減されるため、支持体が短くても清掃体が抜けにくくなるので、支持体をより短くすることができ、更に軽量なフィルター清掃機構を提供することができる。
【００１７】
請求項１０の空気調和機の発明は、請求項８又は９に記載のフィルター清掃機構を有することを特徴としている。したがって、製造コストを高くすることなく、軽量で振動や異音の発生を抑えた空気調和機を提供することができる。
【発明の効果】
【００１８】
請求項１〜３のロータの発明は、製造コストを低減させることができると共に、回転精度を向上させることができる。また、動バランスが良くなることから、振動や騒音を少なくすることができる。また、請求項４の回転清掃体の発明は、回転清掃体の回転精度を向上させることができる。また、請求項５及び６の掃除機用床吸込具の発明は、製造コストを高くすることなく、軽量で振動や異音の発生を抑えた掃除機用床吸込具を提供することができる。
【００１９】
また、請求項７の電気掃除機の発明は、製造コストを高くすることなく、軽量で振動や異音の発生を抑えた電気掃除機を提供することができる。また、請求項８及び９のフィルター清掃機構の発明は、製造コストを高くすることなく、軽量で振動や異音の発生を抑えたフィルター清掃機構を提供することができる。また、請求項１０の空気調和機の発明は、製造コストを高くすることなく、軽量で振動や異音の発生を抑えた空気調和機を提供することができる。
【図面の簡単な説明】
【００２０】
【図１】本発明に係る回転清掃体を示す斜視図
【図２】本発明に係るロータを製造するための金型を示す斜視図
【図３】（ａ）ロータを製造している状態を示す斜視図（ｂ）同平面図（ｃ）図３（ｂ）のＣ−Ｃ断面図
【図４】図３（ｂ）のＣ−Ｃ断面の拡大図
【図５】図４（ａ）のＤ−Ｄ断面を平面に展開した状態を示す説明図
【図６】本発明に係るロータの断面図
【図７】（ａ）ロータの第２実施形態を示す一部断面図（ｂ）ロータの第３実施形態を示す一部断面図
【図８】ロータの第４実施形態を示す断面図
【図９】回転清掃体の回転状態を示す説明図
【図１０】（ａ）掃除機用床吸込具を示す斜視図（ｂ）掃除機用床吸込具を示す底面図
【図１１】電気掃除機を示す正面図
【図１２】フィルター清掃機構を備えた空気調和機の内部構造を示す説明図
【発明を実施するための形態】
【００２１】
以下、本発明の実施形態について、図面を参照しながら説明する。なお、この実施の形態によって本発明が限定されるものではない。
【００２２】
図１は、本発明に係る回転清掃体を示す斜視図である。回転清掃体１０は、本発明に係るロータ１と、清掃体２と、ロータ１の両端に取り付けられるブラケット（図示せず）とを備えている。清掃体２は、ロータ１の外周部に螺旋状に形成された挿入溝１ａに挿脱自在の基部２ａと、この基部２ａに植設され、複数のブラシ毛からなるブラシ部２ｂとから構成されている。尚、ブラシ部２ｂは、複数のブラシ毛に限定するものではなく、ゴム等の軟質材からなるブレード状のもので形成してもよい。また、清掃体２は、単体の状態では直線状となっているが、基部２ａを、ロータ１の螺旋状の挿入溝１ａに挿入することにより、清掃体２のブラシ部２ｂがロータ１の外周に螺旋状に設けられることになる。
【００２３】
図２は、本発明に係るロータを製造するための金型を示す斜視図であり、図３（ａ）は、本発明に係るロータを製造している状態を示す斜視図、図３（ｂ）は、同平面図、図３（ｃ）図３（ｂ）のＣ−Ｃ断面図である。これらの図を用いて本発明にかかるロータの製造方法を説明する。
【００２４】
ロータ１は、押出成形機（図示せず）の先端に取り付けられる金型３を通してアルミニウムを押出し、軸の周りに捩りを加えて螺旋状に形成されている挿入溝１ａを有するロータ材４として、押出成形される。通常、前記製造方法は、捩り押出成形と呼ばれている。また、金型３には、出口の穴が螺旋状に形成された捩りダイスが使用されている。
【００２５】
そして、ロータ材４を、所定の長さに切断することにより、ロータ１が製造される。ロータ１は、外周部に螺旋状に形成され、清掃体の基部が挿入される挿入溝１ａと、この挿入溝１ａの開口両端部を覆うように形成され、清掃体の基部を支持部１ｂと当接させて支持する一対の支持体１ｃとを有している。ロータ１は、捩り押出成形にて製造できる為、捩り加工の工程が必要無い為、ロータ１の製造に要するコストを低減でき、回転清掃体の製造コストも低減できる。
【００２６】
図４（ａ）は、図３（ｂ）をＢ−Ｂ線で切断後のＣ−Ｃ断面を、ロータを省略した状態で表した拡大図であり、図４（ｂ）は、図３（ｂ）をＢ−Ｂ線で切断後のＣ−Ｃ断面を、金型を省略した状態で表した拡大図である。図５は、図４（ａ）のＤ−Ｄ断面を平面に展開した状態を示す説明図であり、図６は、本発明に係るロータの断面図である。これらの図を用いて本発明に係るロータの詳細について説明する。
【００２７】
本発明に係るロータ１は、機器に回転自在に取着されるロータであり、外周部に螺旋状に形成され、清掃体の基部が挿入される挿入溝１ａと、この挿入溝１ａの開口両端部１ｄ、１ｄを覆うように形成され、清掃体の基部を支持部１ｂ、１ｂと当接させて支持する一対の支持体１ｃ、１ｃとを有し、ロータ１の長手方向に垂直な断面において、一対の支持体１ｃ、１ｃの支持部１ｂ、１ｂを結ぶ線Ｘ２に垂直であると共に、挿入溝１ａの最大幅となる線Ｘ１の中央を通る中央線Ｘ３を引き、この中央線Ｘ３と挿入溝１ａを形成する線との交点を点Ａとした時、点Ａから、矢印で示すロータ１の螺旋の捩り方向と反対側に位置する一方の支持体１ｃを含む外周線の展開長（点Ａから点Ｆまでの外周線の長さ）が、点Ａから、他方の支持体１ｃを含む外周線の展開長（点Ａから点Ｅまでの外周線の長さ）よりも小となるようにしている。ここで、点Ｅ及び点Ｆは、線Ｘ１の両端の点である点Ｇ、点Ｈから線Ｘ１に垂直となる線Ｘ４、Ｘ５を引き、このＸ４、Ｘ５が外周線と交わる点であり、この点Ｅ及び点Ｆを、支持体１ｃ、１ｃの外周線における終点としている。
【００２８】
図５は、金型３の出口形状と、金型３、３の間を流れるアルミニウムの流れを示している。金型３の出口の穴は、螺旋状に傾斜して形成されているため、金型３から押し出されるアルミニウムは、図５の図面上では左方向に斜めに穴から押し出され、図１に示すような時計回りに捩られたロータとなる。また、図５の矢印はアルミニウムが流れる向きと速度の大きさを示しており、矢印が長いほど流れが速いことを示している。この矢印で示す通り、金型３に接する部分ではロータとの摩擦抵抗によりアルミニウムの流れは遅くなる。特に、金型３の傾斜部Ｓはアルミニウムの押出し方向を図面上、左方向に変えているため、金型３の中で最もロータとの摩擦抵抗が強い箇所となる。そのため、図５の矢印Ｉで示す流れは、金型３との摩擦抵抗によって矢印Ｊで示す流れに比べて遅くなるため、ロータ材４全体を均等な速度で押出せず、ロータ１の回転精度が悪くなる要因となる。
【００２９】
しかし、前述したように、本発明に係るロータ１は、ロータ１の螺旋の捩り方向と反対側に位置する一方の支持体１ｃを含む外周線の展開長（点Ａから点Ｆまでの外周線の長さ）を短くすることで、ロータと金型が強く当たる部分（図４（ａ）のＳで示す部分）の展開長を短くしているため、ロータと金型の接触面積が減少し、ロータ成型時の摩擦抵抗が低減される。そのため、金型３近傍のアルミニウムの流れの速度差が小さくなる（矢印Ｉが長くなり矢印Ｊの長さに近づく）ため、より均等に金型からロータを押し出すことができ、製造コストを低減させることができると共に、回転精度を向上させることができる。尚、ロータ１は、回転外径が９ｍｍ未満であると共に、挿入溝が３条以下であることが好ましい。これは、ロータの回転中心から離れた位置では、遠心力の影響が大きるなるためで、回転外径が９ｍｍ以上になると、ロータの回転中心から離れた位置で重量バランスが崩れやすくなる。仮に、同じ重量バランスの崩れであっても、回転中心付近にある場合より、回転中心から離れた位置に重量バランスの崩れがある場合の方が、ロータ回転時に振動や騒音が発生しやすくなる。また、挿入溝が４条以上になると、ロータの外径が大きくなるため、前述のロータの回転外径による要因に加え、挿入した清掃体の回転外径がロータよりも更に大きくなるため、より重量バランスが崩れやすくなり、振動や騒音が更に大きくなる。
【００３０】
図７（ａ）は、ロータの第２実施形態を示す一部断面図である。第２実施形態のロータ５は、一対の支持体５ｃ、５ｃの支持部５ｂ、５ｂを結ぶ線Ｘ２に垂直であると共に、挿入溝５ａの最大幅となる線Ｘ１の中央を通る中央線Ｘ３を引き、この中央線Ｘ３と挿入溝５ａを形成する線との交点を点Ａとした時、点Ａから、ロータ５の螺旋の捩り方向と反対側に位置する一方の支持体５ｃ（図面上、左側の支持体）を含む外周線の展開長（点Ａから点Ｌまでの外周線の長さ）が、点Ａから、他方の支持体５ｃを含む外周線の展開長（点Ａから点Ｍまでの外周線の長さ）よりも小となるようにしている。ここで、点Ｌ及び点Ｍは、線Ｘ１の両端の点である点Ｊ、点Ｋから線Ｘ１に垂直となる線Ｘ５、Ｘ４を引き、このＸ５、Ｘ４が外周線と交わる点であり、この点Ｌ及び点Ｍを、支持体５ｃ、５ｃの外周線における終点としている。ここまでは、第１実施形態のロータ１と同様であるが、第２実施形態のロータ５は、螺旋の捩り方向と反対側に位置する一方の支持体５ｃ（図面上、左側の支持体）の外周線の展開長（点Ｊから点Ｌまでの外周線の長さ）が、他方の支持体の外周線の展開長（点Ｋから点Ｍまでの外周線の長さ）よりも小となるようにしている。すなわち、点Ａから点Ｊまでの外周線の展開長と、点Ａから点Ｋまでの外周線の展開長は同一で、支持体５ｃを構成する外周線の展開長のみ小となっている。支持体５ｃは挿入溝５ａより回転中心から離れているため、支持体５ｃを小さくすることにより更に動バランスが良くなることから、振動や騒音を更に少なくすることができる。
【００３１】
図７（ｂ）は、ロータの第３実施形態を示す一部断面図である。第３実施形態のロータ１５は、一対の支持体１５ｃ、１５ｃの支持部１５ｂ、１５ｂを結ぶ線Ｘ２に垂直であると共に、挿入溝１５ａの最大幅となる線が、Ｘ２と同一の線となっており、このＸ２の中央を通る中央線Ｘ３を引いている。即ち、第３実施形態のロータ１５は、一対の支持体１５ｃ、１５ｃのエッジ部分である点Ｎと点Ｏを結ぶ線が挿入溝１５ａの最大幅となる線となっている。その他の点は、第２実施形態と同様なので説明は省略する。
【００３２】
図８は、ロータの第４実施形態を示す断面図である。第１実施形態から第３実施形態までのロータは、基部から外方へ突出するブラシの突出方向がロータの回転中心に対して放射状となっている。一方、第４実施形態のロータ２５は、ブラシの突出方向がロータ２５の回転中心Ｐに対して放射状となっていない。これにより、ロータ２５を使用した回転清掃体は、清掃体を構成するブラシ毛の側面で被清掃面を叩く効果を奏することができる。
【００３３】
図９は、回転清掃体の回転状態を示す説明図である。各種機器に回転自在に取着される本発明に係るロータ１を搭載した回転清掃体１０は、各種機器に設置された状態で被清掃面６を清掃する際に、ロータ１の一対の支持体１ｃ、１ｃのうち、外周線の展開長が小である一方の支持体側から他方の支持体側に向けて回転させる（図９の矢印Ｑ方向）のが好ましい。外周線の展開長が小である支持体１ｃに掛かる負荷が軽減されるため、支持体１ｃが短くても清掃体２が抜けにくくなるので、支持体１ｃをさらに短くすることができる。
【００３４】
図１０（ａ）は、本発明に係る掃除機用床吸込具を示す斜視図、図１０（ｂ）は、掃除機用床吸込具を示す底面図である。また、図１１は、本発明に係る電気掃除機を示す正面図である。電気掃除機用床吸込具１９は、上ケース１９ａと下ケース１９ｂと、継手管部２２とから構成されており、下ケース１９ｂの４箇所にはローラ２３が設置されている。そして、前述した本発明に係る回転清掃体３０は、電気掃除機用吸込具１９の吸込口２４に設置される。電気掃除機用吸込具１９には、モータ２０が内蔵されており、このモータ２０と、ブラケットのギアとがベルト２１によって連結されて、モータ２０の回転と連動して回転清掃体３０が回転するようになっている。
【００３５】
また、図１１に示すように、電気掃除機１００は、前部に塵埃を捕集する集塵室１０１と、後部に電動送風機１０２を内蔵した電動送風機室１０３をそれぞれ備えた掃除機本体１１０と、集塵室１０１に連通するように一端が掃除機本体１１０に接続されるホース１０４と、ホース１０４の他端に設けられたハンドルパイプ１０５に着脱自在に接続される延長管１０６とを備え、延長管１０６の他端に、電気掃除機用吸込具１９が接続される。上記構成により、掃除機本体１１０を運転し、ハンドルパイプ１０５を操作して、電気掃除機用吸込具１９をフローリングやじゅうたん上で操作すると、電気掃除機用床吸込具１９に内蔵されたモータ２０により回転清掃体３０が回転し、塵埃が清掃体により掻き上げられ、電動送風機１０２による吸引力で、空気と共に塵埃が、延長管１０６、ホース１０４を通って集塵室１０１に流れ込みそこで塵埃が捕集される。尚、電気掃除機用吸込具１９が無く、掃除機本体１１０に吸込口を設け、本発明に係る回転清掃体が組み込まれている場合も本発明に係る電気掃除機に含まれるものである。
【００３６】
図１２は、本発明に係るフィルター清掃機構を備えた空気調和機の内部構造を示す説明図である。空気調和機本体４０は、熱交換器４３と、室内の空気を取り入れる空気吸入口４１と、熱交換器４３と空気吸入口４１の間に配され、空気吸入口４１から流入する空気中に含まれる塵埃を捕集するエアフィルター４４と、エアフィルター４４の上流側に配されると共に、エアフィルター４４で捕集された塵埃を除去する清掃装置を有し、前記清掃装置は、回転清掃体１５５と回転清掃体１５５を回転させるための回転駆動手段（図示せず）と、回転清掃体１５５をエアフィルター４４の上流側の表面に沿って上下方向に移動させる上下移動手段（図示せず）と、回転清掃体１５５に付着した塵埃を除去する除塵体５０にて形成されてあり、室内の空気を空気吸入口４１から吸引し、エアフィルター４４、熱交換器４３を通して、空気吹出口４２から、熱交換された空気を室内に吹き出す送風ファン４５とを備えている。回転清掃体１５５に付着した塵埃は、除塵体５０にて除去され、集塵ケース４６に捕集された後、空気調和機の外部に排出される。この回転清掃体を採用することにより、軽量で振動や異音の発生を抑えた空気調和機とすることができる。
【００３７】
なお、上述した実施の形態では、いずれもロータの材質としてアルミニウムを使用しているが、マグネシウム等の他の金属やＡＢＳ樹脂等の熱可塑性合成樹脂を使用した場合でも、本発明と同様の効果を奏するため、これらも本発明に含まれる。
【産業上の利用可能性】
【００３８】
本発明に係るロータ、回転清掃体、掃除機用床吸込具、電気掃除機、フィルター清掃機構及び空気調和機は、ロータは、回転清掃体に使用され、この回転清掃体が掃除機用床吸込具又はフィルター清掃機構に搭載され、さらに、掃除機用床吸込具は、電気掃除機に搭載され、フィルター清掃機構は、空気調和機に搭載されて利用される。
【符号の説明】
【００３９】
１  ロータ
１ａ  挿入溝
１ｂ  支持部
１ｃ  支持体
２  清掃体
２ａ  基部
２ｂ  ブラシ部
３  金型
４  ロータ材
１０  回転清掃体
【図１】
2018102445.tif 000003
【図２】
2018102445.tif 000004
【図３】
2018102445.tif 000005
【図４】
2018102445.tif 000006
【図５】
2018102445.tif 000007
【図６】
2018102445.tif 000008
【図７】
2018102445.tif 000009
【図８】
2018102445.tif 000010
【図９】
2018102445.tif 000011
【図１０】
2018102445.tif 000012
【図１１】
2018102445.tif 000013
【図１２】
2018102445.tif 000014